(57)【要約】【課題】硬貨通路４１の通路長を短くし、入金硬貨の識別、分岐、一時保留にかかる時間を短くでき、硬貨詰まりの発生を低減できる硬貨入出金機を提供する。【解決手段】機体の前側中央域の入金硬貨貯留繰出部３１から硬貨を硬貨通路４１に繰り出す。硬貨通路４１には、機体の幅方向一側へ向かう幅方向通路域４２、機体の後部方向へ方向変換する方向変換通路域４３、機体の後部方向へ向かう後部方向通路域４４を設ける。後部方向通路域４４に硬貨を金種別に分岐する金種別硬貨分岐部５４５〜５４５００を設け、金種別硬貨分岐部５４５〜５４５００の下方に分岐した硬貨を一時保留する金種別硬貨一時保留部６２５〜６２５００を設ける。金種別硬貨一時保留部６２５〜６２５００の硬貨を収納する金種別硬貨収納繰出部７２５〜７２５００を機体の前後方向に並設する。硬貨通路４１の通路長を短くし、入金硬貨の識別、分岐、一時保留にかかる時間を短く、硬貨通路４１での硬貨詰まりの発生を低減する。【選択図】        図１
2004192175.tif 000002
【特許請求の範囲】
【請求項１】
機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、
この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部が設けられる硬貨通路と、
この硬貨通路の後部方向通路域の各金種別硬貨分岐部の下方位置に設けられ、各金種別硬貨分岐部で分岐される硬貨を金種別に一時保留する各金種別硬貨一時保留部と、
前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、前記各金種別硬貨一時保留部から収納する硬貨を各金種別硬貨収納繰出部に受け入れて収納する金種別硬貨収納繰出部群と、
前記機体の幅方向他側において機体の前後方向に設けられ、前記各金種別硬貨収納繰出部から繰り出される硬貨を機体の後方から前方へ搬送する出金硬貨搬送ベルト手段と、
前記機体の幅方向一側において機体の前後方向に設けられ、各金種別硬貨一時保留部から返却する硬貨を機体の後方から前方へ搬送する返却硬貨搬送ベルト手段と、
前記機体の前面側に設けられ、前記出金硬貨搬送ベルト手段および返却硬貨搬送ベルト手段で搬送する硬貨を受収して取出可能とする出金口と
を具備していることを特徴とする硬貨入出金機。
【請求項２】
機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、
この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部およびオーバーフロー硬貨を分岐するオーバーフロー硬貨分岐部が設けられる硬貨通路と、
この硬貨通路の後部方向通路域の各金種別硬貨分岐部の下方位置に設けられ、各金種別硬貨分岐部で分岐される硬貨を金種別に一時保留する各金種別硬貨一時保留部と、
前記硬貨通路の後部方向通路域のオーバーフロー硬貨分岐部の下方位置に設けられ、オーバーフロー硬貨分岐部で分岐されるオーバーフロー硬貨を一時保留するオーバーフロー硬貨一時保留部と、
前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、前記各金種別硬貨一時保留部から収納する硬貨を各金種別硬貨収納繰出部に受け入れて収納する金種別硬貨収納繰出部群と、
前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有し、前記金種別硬貨収納繰出部群とともに機体の前後方向に並設され、前記オーバーフロー硬貨一時保留部から収納する硬貨を受け入れて収納するオーバーフロー硬貨収納繰出部と、
前記機体の幅方向他側において機体の前後方向に設けられ、前記各金種別硬貨収納繰出部およびオーバーフロー硬貨収納繰出部から繰り出される硬貨を機体の後方から前方へ搬送する出金硬貨搬送ベルト手段と、
前記機体の幅方向一側において機体の前後方向に設けられ、各金種別硬貨一時保留部およびオーバーフロー硬貨一時保留部から返却する硬貨を機体の後方から前方へ搬送する返却硬貨搬送ベルト手段と、
前記機体の前面側に設けられ、前記出金硬貨搬送ベルト手段および返却硬貨搬送ベルト手段で搬送する硬貨を受収して取出可能とする出金口と
を具備していることを特徴とする硬貨入出金機。
【請求項３】
出金口が機体の前面側の幅方向両側に設けられ、
出金硬貨搬送ベルト手段および返却硬貨搬送ベルト手段の前端域にはこれらの搬送ベルト手段を接続する中継搬送ベルト手段が設けられ、
前記両出金口のうち機体の幅方向一側の出金口は返却硬貨搬送ベルト手段からの返却硬貨の前方側での受収と出金硬貨搬送ベルト手段から中継搬送ベルト手段を介しての出金硬貨の受収とを可能とし、機体の幅方向他側の出金口は出金硬貨搬送ベルト手段からの出金硬貨の前方側での受収と返却硬貨搬送ベルト手段から中継搬送ベルト手段を介しての返却硬貨の受収とを可能とし、幅方向両側のいずれの出金口からでも出金硬貨および返却硬貨を取出可能とする
ことを特徴とする請求項１または２記載の硬貨入出金機。
【請求項４】
出金口が機体の前面側中央域に設けられ、
出金硬貨搬送ベルト手段から放出される出金硬貨および返却硬貨搬送ベルト手段から放出される返却硬貨を出金口へ案内するシュート部が設けられている
ことを特徴とする請求項１または２記載の硬貨入出金機。
【請求項５】
機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、
この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部および一時保留する硬貨を分岐する一時保留硬貨分岐部が設けられる硬貨通路と、
前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、各金種別硬貨分岐部で分岐される硬貨を各金種別硬貨収納繰出部に直接受け入れて収納する金種別硬貨収納繰出部群と、
前記機体の幅方向に向けて張設され硬貨を上部に貯留収納するとともに収納した硬貨を機体の幅方向他側へ繰出可能とするベルト、および機体の幅方向他側においてベルトにより硬貨を送り出す出口部を有し、前記金種別硬貨収納繰出部群とともに機体の前後方向に並設され、前記一時保留硬貨分岐部で分岐される硬貨を直接受け入れて一時保留する硬貨一時保留部と、
前記機体の幅方向他側において機体の前後方向に設けられ、前記各金種別硬貨収納繰出部から繰り出される硬貨および硬貨一時保留部の出口部から送り出される一時保留硬貨を機体の後方から前方へ搬送する出金硬貨搬送ベルト手段と、
この出金硬貨搬送ベルト手段に送り出された一時保留硬貨を返却硬貨として機体の前面側および金種別硬貨収納繰出部群への収納硬貨として入金硬貨貯留繰出部側のいずれに対して送るかを切り換える切換部と、
前記機体の前面側に設けられ、前記出金硬貨搬送ベルト手段で搬送する出金硬貨および返却硬貨を受収して取出可能とする出金口と
を具備していることを特徴とする硬貨入出金機。
【請求項６】
機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、
この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部、オーバーフロー硬貨を分岐するオーバーフロー硬貨分岐部および一時保留する硬貨を分岐する一時保留硬貨分岐部が設けられる硬貨通路と、
前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、各金種別硬貨分岐部で分岐される硬貨を各金種別硬貨収納繰出部に直接受け入れて収納する金種別硬貨収納繰出部群と、
前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有し、前記金種別硬貨収納繰出部群とともに機体の前後方向に並設され、前記オーバーフロー硬貨分岐部で分岐されるオーバーフロー硬貨を直接受け入れて収納するオーバーフロー硬貨収納繰出部と、
前記機体の幅方向に向けて張設され硬貨を上部に貯留収納するとともに収納した硬貨を機体の幅方向他側へ送出可能とするベルト、および機体の幅方向他側においてベルトにより硬貨を送り出す出口部を有し、前記金種別硬貨収納繰出部群およびオーバーフロー硬貨収納繰出部とともに機体の前後方向に並設され、一時保留硬貨分岐部で分岐される硬貨を直接受け入れて一時保留する硬貨一時保留部と、
前記機体の幅方向他側において機体の前後方向に設けられ、前記各金種別硬貨収納繰出部およびオーバーフロー硬貨収納繰出部から繰り出される硬貨、硬貨一時保留部の出口部から送り出される一時保留硬貨を機体の後方から前方へ搬送する出金硬貨搬送ベルト手段と、
この出金硬貨搬送ベルト手段に送り出された一時保留硬貨を返却硬貨として機体の前面側および金種別硬貨収納繰出部群への収納硬貨として入金硬貨貯留繰出部側のいずれに対して送るかを切り換える切換部と、
前記機体の前面側に設けられ、前記出金硬貨搬送ベルト手段で搬送する出金硬貨および返却硬貨を受収して取出可能とする出金口と
を具備していることを特徴とする硬貨入出金機。
【請求項７】
出金口が機体の前面側の幅方向両側に設けられ、
機体の幅方向他側の出金硬貨搬送ベルト手段の前端域から基体の幅方向一側に向けて中継搬送ベルト手段が設けられ、
前記両出金口のうち機体の幅方向一側の出金口は出金硬貨搬送ベルト手段から中継搬送ベルト手段を介しての出金硬貨および返却硬貨を受収し、機体の幅方向他側の出金口は出金硬貨搬送ベルト手段からの出金硬貨および返却硬貨を前方側で受収し、幅方向両側のいずれの出金口からでも出金硬貨および返却硬貨を取出可能とする
ことを特徴とする請求項５または６記載の硬貨入出金機。
【請求項８】
出金口が機体の前面側中央域に設けられ、
出金硬貨搬送ベルト手段から放出される出金硬貨および返却硬貨を出金口へ案内するシュート部が設けられている
ことを特徴とする請求項５または６記載の硬貨入出金機。
【発明の詳細な説明】
【０００１】
【発明の属する技術分野】
本発明は、入金時に受け入れた入金硬貨を一時保留し、入金承認時には硬貨を金種別硬貨収納繰出部へ収納し、入金非承認時には硬貨を出金口へ返却し、また、出金時に金種別硬貨収納繰出部から繰り出される出金硬貨を出金口へ出金する硬貨入出金機に関する。
【０００２】
【従来の技術】
従来、入金時に受け入れた入金硬貨を一時保留し、入金承認時には硬貨を金種別硬貨収納繰出部へ収納し、入金非承認時には硬貨を出金口へ返却し、また、出金時に金種別硬貨収納繰出部から繰り出される出金硬貨を出金口へ出金する硬貨入出金機がある（例えば、特許文献１参照）。
【０００３】
この硬貨入出金機では、機体の前側中央域に、投入される入金硬貨を受け入れて貯留するとともに貯留した入金硬貨を１層１列状態で機体の幅方向一側へ繰り出す入金硬貨貯留繰出部が設けられ、この入金硬貨貯留繰出部から繰り出される硬貨を搬送する硬貨通路を備えている。
【０００４】
硬貨通路は、入金硬貨貯留繰出部から機体の幅方向一側へ向かう幅方向通路域、この幅方向通路域から機体の後部方向へ方向変換する第１の方向変換通路域、この第１の方向変換通路域の後部に接続されて機体の幅方向一側に沿って後部方向へ形成される後部方向通路域、この後部方向通路域から機体の幅方向他側へ搬送方向を変換する第２の方向変換通路域、およびこの第２の方向変換通路域の末端に接続されるとともに入金硬貨貯留繰出部に対する機体の後部側に配置され機体の幅方向一側から他側へ向かう後部側機体幅方向通路域を備えている。すなわち、硬貨通路は、略コの字形状で、通路長が非常に長いものとなっている。
【０００５】
硬貨通路の幅方向通路域から第１の方向変換通路域を経て後部方向通路域に至る通路域には硬貨識別部およびリジェクト硬貨分岐部が設けられ、後部側機体幅方向通路域には上流から下流に順に各金種別硬貨分岐部およびオーバーフロー硬貨分岐部が設けられている。
【０００６】
各金種別硬貨分岐部およびオーバーフロー硬貨分岐部の下部域には機体の幅方向に並べて各金種別硬貨収納繰出部およびオーバーフロー硬貨収納繰出部が設けられている。これら各金種別硬貨収納繰出部およびオーバーフロー硬貨収納繰出部は、機体の前後方向に張設され硬貨を上部に貯留収納するとともに収納した硬貨を機体の前方へ繰り出すベルト、およびこのベルト上の前側域に対向配置され硬貨の繰り出しを１層１列に規制するゲート部を有している。
【０００７】
各金種別硬貨収納繰出部のベルト上の硬貨収納域には、各金種別硬貨分岐部で分岐されて送り込まれる硬貨を収納済み硬貨と仕切って一時保留空間を形成する開閉可能な仕切板が設けられている。各金種別硬貨収納繰出部の一時保留空間の形成は、ベルト前側域のゲート部からベルトの後部側位置までの全硬貨収納域の途中位置を仕切板で仕切り、ゲート部から仕切板までの硬貨収納域を一時的に一時保留空間として使うものである。
【０００８】
そのため、一時保留空間形成時つまり入金一時保留時には、ゲート部から仕切板進出予定位置までの硬貨収納域に収納硬貨がないよう事前にベルトを後部方向へ回転させ、収納硬貨を仕切板進出予定位置より後部の硬貨収納域へ移動させてから仕切板をベルト上へ進出させている。そして、一時保留された硬貨を収納するときは、収納指令により仕切板を退避させ、ベルトを後部方向へ回転させ、収納済み硬貨と一緒にしている。一方、一時保留された硬貨を返却するときは、返却指令により仕切板は進出状態のままベルトを前部方向へ回転させ、ベルトとゲート部とによって硬貨を１層１列に規制しながら繰り出し、機体の前面側へ返却している。
【０００９】
また、出金時には、仕切板が退避状態においてベルトを前部方向に回転させ、ベルトとゲート部とによって硬貨を１層１列に規制しながら繰り出し、硬貨の繰出枚数をゲート部の近傍位置に配置されたカウント部でカウントし、所定枚数がゲート部を通過することで、ベルトを停止させて後続硬貨の繰り出しを止めている。
【００１０】
【特許文献１】
特開２００１−９３０１９号公報（第６頁ないし第７頁、第１１頁ないし第１２頁、図３および図４、図１１および図１２（ａ））
【００１１】
【発明が解決しようとする課題】
しかしながら、従来の硬貨入出金機では、硬貨通路が、略コの字形状で、通路長が非常に長いものとなっているため、入金硬貨の識別、分岐に時間がかかりやすく、硬貨の搬送詰まりの発生の機会が多い問題がある。
【００１２】
また、各金種別硬貨収納繰出部の一時保留空間は、硬貨収納域の途中位置を仕切板で仕切り、ゲート部から仕切板までの硬貨収納域を一時的に一時保留空間として使うもので、機械の高さを低くするという顧客の要望に適っているが、通路長が非常に長いものゆえ、入金硬貨の一時保留動作に時間がかかる問題がある。
【００１３】
また、各金種別硬貨収納繰出部の一時保留空間に一時保留された硬貨を返却するとき、ベルトとゲート部とによって硬貨を１層１列に規制しながら繰り出して返却するため、一時保留硬貨の返却に時間がかかる問題がある。
【００１４】
本発明は、このような点に鑑みなされたもので、硬貨通路の通路長を短くし、入金硬貨の識別、分岐、一時保留にかかる時間を短くでき、硬貨通路での硬貨の搬送詰まりの発生を低減でき、さらに、一時保留硬貨の返却にかかる時間も短くできる硬貨入出金機を提供することを目的とする。
【００１５】
【課題を解決するための手段】
請求項１記載の硬貨入出金機は、機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部が設けられる硬貨通路と、この硬貨通路の後部方向通路域の各金種別硬貨分岐部の下方位置に設けられ、各金種別硬貨分岐部で分岐される硬貨を金種別に一時保留する各金種別硬貨一時保留部と、前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、前記各金種別硬貨一時保留部から収納する硬貨を各金種別硬貨収納繰出部に受け入れて収納する金種別硬貨収納繰出部群と、前記機体の幅方向他側において機体の前後方向に設けられ、前記各金種別硬貨収納繰出部から繰り出される硬貨を機体の後方から前方へ搬送する出金硬貨搬送ベルト手段と、前記機体の幅方向一側において機体の前後方向に設けられ、各金種別硬貨一時保留部から返却する硬貨を機体の後方から前方へ搬送する返却硬貨搬送ベルト手段と、前記機体の前面側に設けられ、前記出金硬貨搬送ベルト手段および返却硬貨搬送ベルト手段で搬送する硬貨を受収して取出可能とする出金口とを具備しているものである。
【００１６】
そして、この構成では、入金時において、機体の前側中央域の入金硬貨貯留繰出部に投入された硬貨を、入金硬貨貯留繰出部から硬貨通路の幅方向通路域および方向変換通路域を通じて機体の幅方向一側に沿って後部方向へ形成した後部方向通路域に送り、この後部方向通路域の各金種別硬貨分岐部で金種別に分岐し、これら各金種別硬貨分岐部の下方位置の各金種別硬貨一時保留部に一時保留する。入金承認による収納の際は、各金種別硬貨一時保留部の一時保留硬貨を、機体の前後方向に並設した各金種別硬貨収納繰出部であってこれら各金種別硬貨収納繰出部の機体の幅方向に向けて張設されたベルト上に貯留収納する。入金非承認による返却の際は、各金種別硬貨一時保留部の一時保留硬貨を、機体の幅方向一側において機体の前後方向に設けた返却硬貨搬送ベルト手段により機体の前方へ搬送し、出金口から取出可能とする。また、出金時において、必要とする各金種別硬貨収納繰出部のベルト上の硬貨を、ベルトおよびゲート部により機体の幅方向他側から１層１列に規制して繰り出し、機体の幅方向他側において機体の前後方向に設けた出金硬貨搬送ベルト手段により機体の前方へ搬送し、出金口から取出可能とする。このように、硬貨の入金および出金が可能な構成でありながら、硬貨通路の通路長が短くなり、入金硬貨の識別、分岐、一時保留にかかる時間が短く、硬貨通路での硬貨の搬送詰まりの発生が低減される。さらに、各金種別硬貨一時保留部からの一時保留硬貨の返却は、ゲート部などを通じて１層１列で繰り出す必要がなく、一括して繰り出すことが可能で、金種別硬貨一時保留部からの一時保留硬貨の返却にかかる時間も短くなる。
【００１７】
請求項２記載の硬貨入出金機は、機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部およびオーバーフロー硬貨を分岐するオーバーフロー硬貨分岐部が設けられる硬貨通路と、この硬貨通路の後部方向通路域の各金種別硬貨分岐部の下方位置に設けられ、各金種別硬貨分岐部で分岐される硬貨を金種別に一時保留する各金種別硬貨一時保留部と、前記硬貨通路の後部方向通路域のオーバーフロー硬貨分岐部の下方位置に設けられ、オーバーフロー硬貨分岐部で分岐されるオーバーフロー硬貨を一時保留するオーバーフロー硬貨一時保留部と、前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、前記各金種別硬貨一時保留部から収納する硬貨を各金種別硬貨収納繰出部に受け入れて収納する金種別硬貨収納繰出部群と、前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有し、前記金種別硬貨収納繰出部群とともに機体の前後方向に並設され、前記オーバーフロー硬貨一時保留部から収納する硬貨を受け入れて収納するオーバーフロー硬貨収納繰出部と、前記機体の幅方向他側において機体の前後方向に設けられ、前記各金種別硬貨収納繰出部およびオーバーフロー硬貨収納繰出部から繰り出される硬貨を機体の後方から前方へ搬送する出金硬貨搬送ベルト手段と、前記機体の幅方向一側において機体の前後方向に設けられ、各金種別硬貨一時保留部およびオーバーフロー硬貨一時保留部から返却する硬貨を機体の後方から前方へ搬送する返却硬貨搬送ベルト手段と、前記機体の前面側に設けられ、前記出金硬貨搬送ベルト手段および返却硬貨搬送ベルト手段で搬送する硬貨を受収して取出可能とする出金口とを具備しているものである。
【００１８】
そして、この構成では、入金時において、機体の前側中央域の入金硬貨貯留繰出部に投入された硬貨を、入金硬貨貯留繰出部から硬貨通路の幅方向通路域および方向変換通路域を通じて機体の幅方向一側に沿って後部方向へ形成した後部方向通路域に送り、この後部方向通路域の各金種別硬貨分岐部で金種別に分岐するとともにオーバーフロー硬貨分岐部で例えば金種別硬貨収納繰出部が満杯となっている金種のオーバーフロー硬貨を分岐し、これら各金種別硬貨分岐部およびオーバーフロー硬貨分岐部の下方位置の各金種別硬貨一時保留部およびオーバーフロー硬貨一時保留部に一時保留する。入金承認による収納の際は、各金種別硬貨一時保留部およびオーバーフロー硬貨一時保留部の一時保留硬貨を、機体の前後方向に並設した各金種別硬貨収納繰出部およびオーバーフロー硬貨収納繰出部であってこれら各金種別硬貨収納繰出部およびオーバーフロー硬貨収納繰出部の機体の幅方向に向けて張設されたベルト上に貯留収納する。入金非承認による返却の際は、各金種別硬貨一時保留部およびオーバーフロー硬貨一時保留部の一時保留硬貨を、機体の幅方向一側において機体の前後方向に設けた返却硬貨搬送ベルト手段により機体の前方へ搬送し、出金口から取出可能とする。また、出金時において、必要とする各金種別硬貨収納繰出部のベルト上の硬貨を、ベルトおよびゲート部により機体の幅方向他側から１層１列に規制して繰り出し、機体の幅方向他側において機体の前後方向に設けた出金硬貨搬送ベルト手段により機体の前方へ搬送し、出金口から取出可能とする。このように、硬貨の入金および出金が可能な構成であるとともに、オーバーフロー硬貨の分岐および収納が可能で機械を一旦止めてオーバーフロー硬貨を回収するといった手間が必要ない構成でありながら、硬貨通路の通路長が短くなり、入金硬貨の識別、分岐、一時保留にかかる時間が短く、硬貨通路での硬貨の搬送詰まりの発生が低減される。さらに、各金種別硬貨一時保留部およびオーバーフロー硬貨一時保留部からの一時保留硬貨の返却は、ゲート部などを通じて１層１列で繰り出す必要がなく、一括して繰り出すことが可能で、金種別硬貨一時保留部およびオーバーフロー硬貨一時保留部からの一時保留硬貨の返却にかかる時間も短くなる。
【００１９】
請求項３記載の硬貨入出金機は、請求項１または２記載の硬貨入出金機において、出金口が機体の前面側の幅方向両側に設けられ、出金硬貨搬送ベルト手段および返却硬貨搬送ベルト手段の前端域にはこれらの搬送ベルト手段を接続する中継搬送ベルト手段が設けられ、前記両出金口のうち機体の幅方向一側の出金口は返却硬貨搬送ベルト手段からの返却硬貨の前方側での受収と出金硬貨搬送ベルト手段から中継搬送ベルト手段を介しての出金硬貨の受収とを可能とし、機体の幅方向他側の出金口は出金硬貨搬送ベルト手段からの出金硬貨の前方側での受収と返却硬貨搬送ベルト手段から中継搬送ベルト手段を介しての返却硬貨の受収とを可能とし、幅方向両側のいずれの出金口からでも出金硬貨および返却硬貨を取出可能とするものである。
【００２０】
そして、この構成では、機体の前面側の幅方向両側に出金口を設け、機体の幅方向一側の出金口に対しては返却硬貨搬送ベルト手段から返却硬貨を前方側へ送り込めるとともに出金硬貨搬送ベルト手段から中継搬送ベルト手段を介して出金硬貨を送り込め、機体の幅方向他側の出金口に対しては出金硬貨搬送ベルト手段から出金硬貨を前方側へ送り込めるとともに返却硬貨搬送ベルト手段から中継搬送ベルト手段を介して返却硬貨を送り込めるため、幅方向両側のいずれの出金口にも出金硬貨および返却硬貨を送り込め、例えば硬貨入出金機を左右の２人のテラー間に設置した場合に左右のいずれのテラー側からも出金硬貨および返却硬貨を取り出し易くなる。
【００２１】
請求項４記載の硬貨入出金機は、請求項１または２記載の硬貨入出金機において、出金口が機体の前面側中央域に設けられ、出金硬貨搬送ベルト手段から放出される出金硬貨および返却硬貨搬送ベルト手段から放出される返却硬貨を出金口へ案内するシュート部が設けられているものである。
【００２２】
そして、この構成では、機体の前面側中央域に出金口を設け、この出金口に対して出金硬貨搬送ベルト手段から放出される出金硬貨および返却硬貨搬送ベルト手段から放出される返却硬貨をシュート部で案内するため、機体の前面側中央域の出金口に出金硬貨および返却硬貨を送り込め、例えば硬貨入出金機を左右の２人のテラー間に設置した場合に左右のいずれのテラー側からも出金硬貨および返却硬貨を取り出し易くなる。
【００２３】
請求項５記載の硬貨入出金機は、機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部および一時保留する硬貨を分岐する一時保留硬貨分岐部が設けられる硬貨通路と、前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、各金種別硬貨分岐部で分岐される硬貨を各金種別硬貨収納繰出部に直接受け入れて収納する金種別硬貨収納繰出部群と、前記機体の幅方向に向けて張設され硬貨を上部に貯留収納するとともに収納した硬貨を機体の幅方向他側へ繰出可能とするベルト、および機体の幅方向他側においてベルトにより硬貨を送り出す出口部を有し、前記金種別硬貨収納繰出部群とともに機体の前後方向に並設され、前記一時保留硬貨分岐部で分岐される硬貨を直接受け入れて一時保留する硬貨一時保留部と、前記機体の幅方向他側において機体の前後方向に設けられ、前記各金種別硬貨収納繰出部から繰り出される硬貨および硬貨一時保留部の出口部から送り出される一時保留硬貨を機体の後方から前方へ搬送する出金硬貨搬送ベルト手段と、この出金硬貨搬送ベルト手段に送り出された一時保留硬貨を返却硬貨として機体の前面側および金種別硬貨収納繰出部群への収納硬貨として入金硬貨貯留繰出部側のいずれに対して送るかを切り換える切換部と、前記機体の前面側に設けられ、前記出金硬貨搬送ベルト手段で搬送する出金硬貨および返却硬貨を受収して取出可能とする出金口とを具備しているものである。
【００２４】
そして、この構成では、入金時において、機体の前側中央域の入金硬貨貯留繰出部に投入された硬貨を、入金硬貨貯留繰出部から硬貨通路の幅方向通路域および方向変換通路域を通じて機体の幅方向一側に沿って後部方向へ形成した後部方向通路域に送り、この後部方向通路域の一時保留硬貨分岐部で分岐し、各金種別硬貨収納繰出部とともに機体の前後方向に並設した硬貨一時保留部であって機体の幅方向に向けて張設されたベルト上に一時保留する。入金承認による収納の際は、硬貨一時保留部の一時保留硬貨を、ベルトにより機体の幅方向他側の出口部から送り出し、機体の幅方向他側において機体の前後方向に設けた出金硬貨搬送ベルト手段により機体の前方へ搬送するとともに切換部により入金硬貨貯留繰出部へ送り、入金硬貨貯留繰出部から硬貨通路の後部方向通路域に送り、この後部方向通路域の各金種別硬貨分岐部で金種別に分岐し、機体の前後方向に並設した各金種別硬貨収納繰出部であってこれら各金種別硬貨収納繰出部の機体の幅方向に向けて張設されたベルト上に直接収納する。入金非承認による返却の際は、硬貨一時保留部の一時保留硬貨を、ベルトにより機体の幅方向他側の出口部から送り出し、機体の幅方向他側において機体の前後方向に設けた出金硬貨搬送ベルト手段により機体の前方へ搬送し、出金口から取出可能とする。また、出金時において、必要とする各金種別硬貨収納繰出部のベルト上の硬貨を、ベルトおよびゲート部により機体の幅方向他側から１層１列に規制して繰り出し、機体の幅方向他側において機体の前後方向に設けた出金硬貨搬送ベルト手段により機体の前方へ搬送し、出金口から取出可能とする。このように、硬貨の入金および出金が可能な構成でありながら、硬貨通路の通路長が短くなり、入金硬貨の識別、分岐、一時保留にかかる時間が短く、硬貨通路での硬貨の搬送詰まりの発生が低減される。さらに、硬貨一時保留部からの一時保留硬貨の返却は、１個の硬貨一時保留部からの一時保留硬貨の返却であるので、各金種別硬貨収納繰出部の硬貨収納域を仕切って一時保留空間にする場合に比べて返却にかかる時間も短くできる。
【００２５】
請求項６記載の硬貨入出金機は、機体の前側中央域に設けられ、投入される入金硬貨を貯留する入金硬貨貯留部、およびこの入金硬貨貯留部に貯留した硬貨を１層１列状態で機体の幅方向一側へ繰り出す硬貨繰出部を有する入金硬貨貯留繰出部と、この入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、入金硬貨貯留繰出部から繰り出される硬貨を１層１列状態で搬送し、かつ、幅方向通路域から後部方向通路域の上流範囲までのいずれかの通路域に硬貨を識別する硬貨識別部およびリジェクト硬貨を分岐するリジェクト硬貨分岐部が設けられるとともに、リジェクト硬貨分岐部設置域より後流位置の後部方向通路域に硬貨を金種別に分岐する各金種別硬貨分岐部、オーバーフロー硬貨を分岐するオーバーフロー硬貨分岐部および一時保留する硬貨を分岐する一時保留硬貨分岐部が設けられる硬貨通路と、前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部が機体の前後方向に並設され、各金種別硬貨分岐部で分岐される硬貨を各金種別硬貨収納繰出部に直接受け入れて収納する金種別硬貨収納繰出部群と、前記機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有し、前記金種別硬貨収納繰出部群とともに機体の前後方向に並設され、前記オーバーフロー硬貨分岐部で分岐されるオーバーフロー硬貨を直接受け入れて収納するオーバーフロー硬貨収納繰出部と、前記機体の幅方向に向けて張設され硬貨を上部に貯留収納するとともに収納した硬貨を機体の幅方向他側へ送出可能とするベルト、および機体の幅方向他側においてベルトにより硬貨を送り出す出口部を有し、前記金種別硬貨収納繰出部群およびオーバーフロー硬貨収納繰出部とともに機体の前後方向に並設され、一時保留硬貨分岐部で分岐される硬貨を直接受け入れて一時保留する硬貨一時保留部と、前記機体の幅方向他側において機体の前後方向に設けられ、前記各金種別硬貨収納繰出部およびオーバーフロー硬貨収納繰出部から繰り出される硬貨、硬貨一時保留部の出口部から送り出される一時保留硬貨を機体の後方から前方へ搬送する出金硬貨搬送ベルト手段と、この出金硬貨搬送ベルト手段に送り出された一時保留硬貨を返却硬貨として機体の前面側および金種別硬貨収納繰出部群への収納硬貨として入金硬貨貯留繰出部側のいずれに対して送るかを切り換える切換部と、前記機体の前面側に設けられ、前記出金硬貨搬送ベルト手段で搬送する出金硬貨および返却硬貨を受収して取出可能とする出金口とを具備しているものである。
【００２６】
そして、この構成では、入金時において、機体の前側中央域の入金硬貨貯留繰出部に投入された硬貨を、入金硬貨貯留繰出部から硬貨通路へ送り、リジェクト硬貨分岐部を通過した硬貨は硬貨通路の後部方向通路域に送り、この後部方向通路域の一時保留硬貨分岐部で分岐し、各金種別硬貨収納繰出部とともに機体の前後方向に並設した硬貨一時保留部であって機体の幅方向に向けて張設されたベルト上に一時保留する。入金承認による収納の際は、硬貨一時保留部の一時保留硬貨を、ベルトにより機体の幅方向他側の出口部から送り出し、機体の幅方向他側において機体の前後方向に設けた出金硬貨搬送ベルト手段により機体の前方へ搬送するとともに切換部により入金硬貨貯留繰出部へ送り、入金硬貨貯留繰出部から硬貨通路の後部方向通路域に送り、この後部方向通路域の各金種別硬貨分岐部で金種別に分岐するとともにオーバーフロー硬貨分岐部で例えば金種別硬貨収納繰出部が満杯となっている金種のオーバーフロー硬貨を分岐し、機体の前後方向に並設した各金種別硬貨収納繰出部およびオーバーフロー硬貨収納繰出部であってこれら各金種別硬貨収納繰出部およびオーバーフロー硬貨収納繰出部の機体の幅方向に向けて張設されたベルト上に直接収納する。入金非承認による返却の際は、硬貨一時保留部の一時保留硬貨を、ベルトにより機体の幅方向他側の出口部から送り出し、機体の幅方向他側において機体の前後方向に設けた出金硬貨搬送ベルト手段により機体の前方へ搬送し、出金口から取出可能とする。また、出金時において、必要とする各金種別硬貨収納繰出部のベルト上の硬貨を、ベルトおよびゲート部により機体の幅方向他側から１層１列に規制して繰り出し、機体の幅方向他側において機体の前後方向に設けた出金硬貨搬送ベルト手段により機体の前方へ搬送し、出金口から取出可能とする。このように、硬貨の入金および出金が可能な構成であるとともに、オーバーフロー硬貨の分岐および収納が可能で機械を一旦止めてオーバーフロー硬貨を回収するといった手間が必要ない構成でありながら、硬貨通路の通路長が短くなり、入金硬貨の識別、分岐、一時保留にかかる時間が短く、硬貨通路での硬貨の搬送詰まりの発生が低減される。さらに、硬貨一時保留部からの一時保留硬貨の返却は、１個の硬貨一時保留部からの一時保留硬貨の返却であるので、各金種別硬貨収納繰出部の硬貨収納域を仕切って一時保留空間にする場合に比べて返却にかかる時間も短くなる。
【００２７】
請求項７記載の硬貨入出金機は、請求項５または６記載の硬貨入出金機において、出金口が機体の前面側の幅方向両側に設けられ、機体の幅方向他側の出金硬貨搬送ベルト手段の前端域から基体の幅方向一側に向けて中継搬送ベルト手段が設けられ、前記両出金口のうち機体の幅方向一側の出金口は出金硬貨搬送ベルト手段から中継搬送ベルト手段を介しての出金硬貨および返却硬貨を受収し、機体の幅方向他側の出金口は出金硬貨搬送ベルト手段からの出金硬貨および返却硬貨を前方側で受収し、幅方向両側のいずれの出金口からでも出金硬貨および返却硬貨を取出可能とするものである。
【００２８】
そして、この構成では、機体の前面側の幅方向両側に出金口を設け、機体の幅方向一側の出金口に対しては出金硬貨搬送ベルト手段から中継搬送ベルト手段を介して出金硬貨および返却硬貨を送り込め、機体の幅方向他側の出金口に対しては出金硬貨搬送ベルト手段から出金硬貨および返却硬貨を前方側へ送り込めるため、幅方向両側のいずれの出金口にも出金硬貨および返却硬貨を送り込め、例えば硬貨入出金機を左右の２人のテラー間に設置した場合に左右のいずれのテラー側からも出金硬貨および返却硬貨を取り出し易くなる。
【００２９】
請求項８記載の硬貨入出金機は、請求項５または６記載の硬貨入出金機において、出金口が機体の前面側中央域に設けられ、出金硬貨搬送ベルト手段から放出される出金硬貨および返却硬貨を出金口へ案内するシュート部が設けられているものである。
【００３０】
そして、この構成では、機体の前面側中央域に出金口を設け、この出金口に対して出金硬貨搬送ベルト手段から放出される出金硬貨および返却硬貨をシュート部で案内するため、機体の前面側中央域の出金口に出金硬貨および返却硬貨を送り込め、例えば硬貨入出金機を左右の２人のテラー間に設置した場合に左右のいずれのテラー側からも出金硬貨および返却硬貨を取り出し易くなる。
【００３１】
【発明の実施の形態】
以下、本発明の一実施の形態を図面を参照して説明する。
【００３２】
図１ないし図８に第１の実施の形態を示す。硬貨入出金機としては入金硬貨を出金硬貨として使用する循環式硬貨入出金機である。
【００３３】
図５において、硬貨入出金機は、紙幣入出金機と一体的に形成され、機体１１の上部に硬貨入出金機が配置され、下部に図示しない紙幣入出金機が配置されている。そして、金融機関の窓口などにおいて、左右の２人のテラー間に設置されるとともに、各テラーによって操作される２台の端末機に接続されて、両テラーによって共用される。
【００３４】
機体１１は、縦型で、機体１１の幅方向の寸法が小さく、前後方向に長く構成されている。機体１１の上面前側の幅方向の略中央域に硬貨入金口１２が配設され、この硬貨入金口１２の前側に紙幣入金口１３が配設され、この紙幣入金口１３の下側に紙幣出金口１４が配設され、この紙幣出金口１４の両側でかつ機体１１の幅方向両端域に硬貨用の左側の出金口１５および右側の出金口１６がそれぞれ配設されている。各出金口１５，１６には、機体１１内から出金される硬貨が受け入れられるボックス状の出金ボックス１７，１８が着脱可能に配置されている。
【００３５】
機体１１の上面でかつ硬貨入金口１２および紙幣入金口１３の両側には、複数の操作キーや液晶表示部などが配置される左側操作部１９および右側操作部２０が配設されている。
【００３６】
機体１１の前面下部域には前面扉２１が開閉可能に配設され、この前面扉２１には機体１１に対して閉鎖状態で施錠、解錠される扉キー２２が配設されている。
【００３７】
また、機体１１は、図４に示すように、主として硬貨入出金機が配設される上部ユニット２３、および主として紙幣入出金機が配設される下部ユニット２４を有し、これら上部ユニット２３および下部ユニット２４はそれぞれ前方へ引出移動可能に構成されている。
【００３８】
次に、図１および図４に、硬貨入出金機の構成を示す。なお、図１の平面図において、図面左側が機体１１の前側、図面右側が後側、図面上下方向が機体１１の幅方向であって、図面上側が左側、図面下側が右側であり、また、図２は図１のＡ−Ａ矢視の断面図であって、図面右側が機体１１の左側、図面左側が機体１１の右側である。
【００３９】
硬貨入出金機は、機体１１の前側上部域で幅方向の略中央域であって硬貨入金口１２の下方に配設される入金硬貨貯留繰出部３１を有し、この入金硬貨貯留繰出部３１の上方には、硬貨入金口１２が形成された硬貨入金口枠３２が配設され、この硬貨入金口枠３２の下面に硬貨入金口シャッタ３３が開閉可能に配設されている。
【００４０】
入金硬貨貯留繰出部３１は、投入される入金硬貨を貯留する入金硬貨貯留部３４を有し、この入金硬貨貯留部３４には、底部側の両側壁間の間隔が狭まって硬貨を１列に規制する貯留枠３５が設けられ、この貯留枠３５の底部に機体１１の左側である幅方向一側へ向けて硬貨を繰り出す繰出ベルト３６がその幅方向一側へ向けて上昇傾斜するように張設され、この繰出ベルト３６の幅方向一側の上方に対向して硬貨を厚み方向に１層に規制する逆転ローラ３７が配置されている。そして、貯留枠３５、繰出ベルト３６および逆転ローラ３７によって、入金硬貨貯留部３４に貯留した硬貨を１層１列状態で機体１１の左側である幅方向一側へ繰り出す硬貨繰出部３８が構成されている。
【００４１】
また、入金硬貨貯留繰出部３１の繰出ベルト３５の幅方向一側に連続して、入金硬貨貯留繰出部３１から繰り出される硬貨を１層１列状態で搬送する硬貨通路４１が形成されている。この硬貨通路４１は、入金硬貨貯留繰出部３１から機体１１の左側である幅方向一側へ向けて形成される幅方向通路域４２、この幅方向通路域４２の左端から機体１１の後部方向へ方向変換する方向変換通路域４３、およびこの方向変換通路域４３から機体１１の幅方向一側に沿って後部方向へ形成される後部方向通路域４４を有し、機体１１の前面側から幅方向一側にかけて略Ｌ字形に形成されている。これら各通路域４２〜４４は、硬貨を載せる底板４５上で、硬貨の両側を案内する両側のガイド板４６，４７間に形成されており、底板４５の上方には硬貨を各通路域４２〜４４に沿って搬送する搬送手段としての搬送ベルト４８，４９がＬ字形状の支持状態で張設されている。
【００４２】
幅方向通路域４２には、搬送する硬貨の真偽や金種を識別する硬貨識別部５０が配置されている。
【００４３】
後部方向通路域４４の上流側域すなわち上流範囲には、硬貨識別部５０で識別不能なリジェクト硬貨を分岐するリジェクト硬貨分岐部５１が配設されている。このリジェクト硬貨分岐部５１は、底板４５に形成された分岐孔５２を有し、この分岐孔５２には図示しない分岐板が配置され、この分岐板が図示しないソレノイドによって硬貨の通過を許容する閉鎖位置とリジェクト硬貨を分岐孔５２内へ強制的に案内する開放位置とに移動される。
【００４４】
後部方向通路域４４のリジェクト硬貨分岐部５１の下流側には、硬貨分岐部として、オーバーフロー硬貨を分岐するオーバーフロー硬貨分岐部５３が配設されているとともに、このオーバーフロー硬貨分岐部５３より下流側で、硬貨を金種別に分岐する５円硬貨用、１円硬貨用、５０円硬貨用、１００円硬貨用、１０円硬貨用、５００円硬貨用の各金種別硬貨分岐部５４５，５４１，５４５０，５４１００，５４１０，５４５００が順に配設されている。
【００４５】
これらオーバーフロー硬貨分岐部５３および各金種別硬貨分岐部５４５〜５４５００は、底板４５に形成された分岐孔５５を有し、また、オーバーフロー硬貨分岐部５３および５円硬貨用の金種別硬貨分岐部５４５は、強制的に硬貨を分岐するもので、分岐孔５５に配置される図示しない分岐板を有し、この分岐板が図示しないソレノイドによって硬貨の通過を許容する閉鎖位置と硬貨を分岐孔５５内へ強制的に案内する開放位置とに移動する。１円硬貨用、５０円硬貨用、１００円硬貨用、１０円硬貨用、５００円硬貨用の金種別硬貨分岐部５４１〜５４５００は、硬貨の径寸法に応じて小径硬貨から大径硬貨の順に形状分岐するように構成されている。
【００４６】
また、オーバーフロー硬貨分岐部５３および各金種別硬貨分岐部５４５〜５４５００の下方位置には、オーバーフロー硬貨分岐部５３および各金種別硬貨分岐部５４５〜５４５００で分岐されるオーバーフロー硬貨および各金種の硬貨を一時保留するオーバーフロー硬貨一時保留部６１および金種別硬貨一時保留部６２５，６２１，６２５０，６２１００，６２１０，６２５００が配設されている。
【００４７】
これら各一時保留部６１，６２５〜６２５００は、図示しない一時保留枠によって互いに区画形成された一時保留空間６３を有し、この一時保留空間６３の底部にベルト６４が機体１１の左側である幅方向一側へ向けて下降傾斜するように幅方向に向けて張設され、このベルト６４上に硬貨を貯留収納するとともに、ベルト６４の回転によって硬貨を収納時には機体１１の右側である幅方向他側へ、返却時には機体１１の左側である幅方向一側に放出可能としている。ベルト６４の幅方向一側および幅方向他側には、収納側のシャッタ６５および返却側のシャッタ６６がそれぞれ開閉可能に配設されている。全ての一時保留部６１，６２５〜６２５００の各シャッタ６５，６６は、それぞれ各シャッタ６５，６６毎に図示しないソレノイドなどによって一体に開閉駆動される。
【００４８】
また、各一時保留部６１，６２５〜６２５００に対する機体１１の幅方向中央側の横位置から機体１１の幅方向中央側へ向けて、オーバーフロー硬貨収納繰出部７１および金種別硬貨収納繰出部７２５，７２１，７２５０，７２１００，７２１０，７２５００が設けられているとともに、これら各収納繰出部７１，７２５〜７２５００が機体１１の前後方向に並設されている。すなわち、機体１１の前側から後側の順に、オーバーフロー硬貨収納繰出部７１（図１中にはＯＦと示す）、５円硬貨用、１円硬貨用、５０円硬貨用、１００円硬貨用、１０円硬貨用および５００円硬貨用の金種別硬貨収納繰出部７２５，７２１，７２５０，７２１００，７２１０，７２５００が並設されている。機体１１の前後方向に並設された各金種別硬貨収納繰出部７２５〜７２５００によって金種別硬貨収納繰出部群７３が構成されている。
【００４９】
これら各収納繰出部７１，７２５〜７２５００は、収納枠７４によって互いに区画形成された収納空間７５を有し、この収納空間７５の底部にベルト７６が機体１１の右側である幅方向他側へ向けて上昇傾斜するように機体１１の幅方向に向けて張設され、このベルト７６上に硬貨を貯留収納するとともにベルト７６の回転によって収納した硬貨を機体１１の右側である幅方向他側へ繰り出す。各ベルト７６は、機体１１の幅方向両側のプーリ７７に巻回されて張設され、一方のプーリ７７が各収納繰出部７１，７２５〜７２５００毎の図示しないモータなどの駆動部により独立して回転駆動される。ベルト７６の幅方向他側位置において、ベルト７６上に対向してベルト７６からの硬貨の繰り出しを１層１列に規制するゲート部７８が配設され、このゲート部７８より下流側に１層１列状態で繰り出される硬貨の通過によって押し上げられて繰出枚数をカウントする駆動回転式のローラ７９が配設されている。ゲート部７８は、ベルト７６の上面の回転方向に対して逆方向に回転する逆転ローラによって構成されている。
【００５０】
そして、繰出予定の所定枚数目の硬貨がローラ７９を押し上げると、その硬貨はカウントされるとともにベルト７６およびゲート部７８の逆転ローラは停止され、次位の硬貨はゲート部７８の位置で停止される。ベルト７６が停止していてもローラ７９の駆動回転で所定枚数目の硬貨はベルト７６外へ送り出される。なお、ゲート部７８に対して進退するストッパを設けてもよい。この場合は所定枚数目の硬貨がローラ７９へ進入した時点でこのストッパを進退させて所定枚数の次位の硬貨をゲート部７８位置で停止させる。そのとき、ベルト７６およびローラ７９は回転を続けており、所定枚数目の硬貨がローラ７９を通過してベルト７６へ送り出された時点で、ベルト７６およびローラ７９を停止させればよい。
【００５１】
また、機体１１の幅方向他側において、各金種別硬貨収納繰出部７２５〜７２５００およびオーバーフロー硬貨収納繰出部７１から繰り出される硬貨を機体１１の後方から前方へ搬送する出金硬貨搬送ベルト手段８１が機体１１の前後方向に設けられている。この出金硬貨搬送ベルト手段８１は、機体１１の前後方向に配置されるプーリ８２に巻回されて機体１１の前後方向に張設されたベルト８３、およびこのベルト８３上に硬貨を案内するガイド枠８４を有し、図示しないモータなどの駆動部によりベルト８３が回転してベルト８３上の硬貨を機体１１の前方へ搬送する。
【００５２】
また、機体１１の幅方向一側において、各金種別硬貨一時保留部６２５〜６２５００およびオーバーフロー硬貨一時保留部６１から返却する硬貨を機体１１の後方から前方へ搬送する返却硬貨搬送ベルト手段８６が機体１１の前後方向に設けられている。この返却硬貨搬送ベルト手段８６は、機体１１の前後方向に配置されるプーリ８７に巻回されて機体１１の前後方向に張設されたベルト８８、およびこのベルト８８上に硬貨を案内するガイド枠８９を有し、図示しないモータなどの駆動部によりベルト８８が回転してベルト８８上の硬貨を機体１１の前方へ搬送する。
【００５３】
また、出金硬貨搬送ベルト手段８１および返却硬貨搬送ベルト手段８６の前端域前側であってこれら搬送ベルト手段８１，８６の両外間にわたって、中継搬送ベルト手段９１が機体１１の幅方向に設けられている。この中継搬送ベルト手段９１は、機体１１の幅方向両側に配置されるプーリ９２に巻回されて機体１１の幅方向に張設されたベルト９３、およびこのベルト９３上に硬貨を案内する図示しないガイド枠を有し、図示しないモータなどの駆動部によりベルト９３が回転してベルト９３上の硬貨を機体１１の幅方向一側または幅方向他側のいずれにも搬送可能としている。
【００５４】
中継搬送ベルト手段９１の幅方向両側位置において、ベルト９３上に対向して案内部９４が配置され、出金硬貨搬送ベルト手段８１および返却硬貨搬送ベルト手段８６の前端から放出される硬貨が各案内部９４を通じてベルト９３上導かれる。各案内部９４には、ベルト９３の回転によって搬送されてくるベルト９３上の硬貨を前方へ向けて案内する案内面９５が湾曲形成されている。
【００５５】
また、中継搬送ベルト手段９１の左側である幅方向一側の前方には、中継搬送ベルト手段９１側から前方へ送り出される硬貨を受け入れて左側の出金口１５へ案内する一側通路部１０１が配設されている。この一側通路部１０１は、前方へ向けて下降傾斜するシュート１０２によって構成されている。中継搬送ベルト手段９１に臨む一側通路部１０１の入口部には、シャッタ１０３が開閉可能に配設されており、このシャッタ１０３が一側通路部１０１の入口部を開放した開放位置で、中継搬送ベルト手段９１側から一側通路部１０１への硬貨の送り込みを許容し、また、シャッタ１０３が一側通路部１０１の入口部を閉鎖した閉鎖位置で、中継搬送ベルト手段９１側から一側通路部１０１への硬貨の送り込みを規制する。
【００５６】
また、中継搬送ベルト手段９１の右側である幅方向他側の前方には、中継搬送ベルト手段９１側から前方へ送り出される硬貨を受け入れて右側の出金口１６へ案内する他側通路部１０６が配設されている。この他側通路部１０６は、前方へ向けて硬貨を搬送するコンベヤ１０７によって構成されている。中継搬送ベルト手段９１に臨む他側通路部１０６の入口部には、シャッタ１０８が開閉可能に配設されており、このシャッタ１０８が他側通路部１０６の入口部を開放した開放位置で、中継搬送ベルト手段９１側から他側通路部１０６への硬貨の送り込みを許容し、また、シャッタ１０８が他側通路部１０６の入口部を閉鎖した閉鎖位置で、中継搬送ベルト手段９１側から他側通路部１０６への硬貨の送り込みを規制する。
【００５７】
他側通路部１０６の途中位置には、他側通路部１０６で搬送する硬貨を入金硬貨貯留繰出部３１に送り込む切換部１１１が配設されている。この切換部１１１は、他側通路部１０６上に進退可能とする切換板１１２を有し、図示しないソレノイドなどの駆動部により、切換板１１２が、他側通路部１０６上に進出して他側通路部１０６で搬送する硬貨を入金硬貨貯留繰出部３１に送る進出位置と、他側通路部１０６上から退避して他側通路部１０６で搬送する硬貨を機体１１の前方へ送る退避位置とに移動する。
【００５８】
他側通路部１０６の前端には、他側通路部１０６の前端から放出される硬貨を受け入れて右側の出金口１６に送るシュート１１６が配設されている。このシュート１１６の途中には、回収シュート１１７が接続されているとともに、この回収シュート１１７の接続位置にシュート１１６内を落下する硬貨を回収シュート１１７内に取り込む図示しない取込部材が配設されている。
【００５９】
また、機体１１の下部ユニット２４のカセット装着部１２１にカセット１２２が着脱可能に装着され、回収シュート１１７に取り込まれた硬貨がカセット１２２に導かれて収納される。カセット装着部１２１は機体１１の前面扉２１を開放することによって露出され、カセット１２２を着脱可能とする。
【００６０】
なお、中継搬送ベルト手段９１は、各搬送ベルト手段８１，８６の前端縁内側間に設けてもよい。この場合は各搬送ベルト手段８１，８６の前端縁外側にそれぞれ進退移動する各ガイド板を設ける。そして、各搬送ベルト手段８１，８６上の硬貨をそのまま前方へ送るときにはガイド板は退避状態のままとする。いずれかの搬送ベルト手段８１（８６）上の硬貨を中継搬送ベルト手段９１へ送る場合は、搬送ベルト手段８１（８６）に対応するガイド板を進出させることで搬送ベルト手段８１（８６）上の硬貨を中継搬送ベルト手段９１へ送る。この中継搬送ベルト手段９１の硬貨は搬送ベルト手段８６（８１）へ載り移り、搬送ベルト手段８６（８１）から前方へ搬送される。したがって、本実施の形態およびここに述べた他の例のように、中継搬送ベルト手段９１は出金硬貨搬送ベルト手段８１および返却硬貨搬送ベルト手段８６の前端域においてこれらの搬送ベルト手段８１，８６を接続する関係に設けられている。
【００６１】
また、図６ないし図８に示すように、入金硬貨貯留繰出部３１は、硬貨とともに投入される例えばクリップなどの金属製の異物Ｘを排除する異物排除手段１３１を備えている。この異物排除手段１３１は、貯留枠３５の一側に配置された電磁石１３２を有し、この電磁石１３２への通電により磁力を発生させて金属製の異物Ｘを吸着し、入金硬貨貯留繰出部３１から硬貨（図６ないし図８に符号Ｃで示し、以下省略する）とともに異物Ｘが繰り出されるのを防止し、硬貨通路４１での異物Ｘによる詰まりなどの発生を防止できる。機体１１の幅方向他側で繰出ベルト３６に臨む貯留枠３５の一部に開放部１３３が軸部１３４を支点として開閉可能に設けられ、電磁石１３２への通電解除、開放部１３３の開放、および繰出ベルト３６の逆転によって異物Ｘを入金硬貨貯留繰出部３１内から図示しない回収箱などへ排除できる。
【００６２】
次に、本実施の形態の作用を説明する。
【００６３】
まず、硬貨の入金処理について説明する。
【００６４】
左右いずれかのテラーにより、機体１１の左側操作部１９または右側操作部２０やテラーに対応する端末機で硬貨の入金処理を指令することにより、右側または左側のテラーの占有状態になり、硬貨入金口１２の硬貨入金口シャッタ３３を開放する。占有したテラーにより、入金硬貨を硬貨入金口１２に投入し、機体１１の左側操作部１９または右側操作部２０やテラーの端末機で入金スタートを指令することにより、硬貨入金口１２の硬貨入金口シャッタ３３を閉鎖し、硬貨の入金処理を開始する。
【００６５】
硬貨入金口１２に投入された入金硬貨は、入金硬貨貯留繰出部３１の繰出ベルト３６上に貯留しており、入金硬貨貯留繰出部３１の繰出ベルト３６の繰出回転と逆転ローラ３７の逆回転とによって入金硬貨貯留繰出部３１内から１層１列状態で硬貨通路４１の幅方向通路域４２に繰り出し、幅方向通路域４２の硬貨識別部５０で識別し、幅方向通路域４２から方向変換通路域４３を通じて後部方向通路域４４に搬送する。
【００６６】
硬貨識別部５０で正常と識別した入金硬貨は、後部方向通路域４４の各金種別硬貨分岐部５４５〜５４５００で分岐し、各金種別硬貨一時保留部６２５〜６２５００にばら状態で一時保留する。
【００６７】
硬貨識別部５０で正常と識別した入金硬貨でも、各金種別硬貨一時保留部６２５〜６２５００に所定枚数の硬貨を収納して満杯となった金種や、各金種別硬貨収納繰出部７２５〜７２５００に所定枚数の硬貨を収納して満杯となっている金種については、オーバーフロー硬貨として処理し、後部方向通路域４４のオーバーフロー硬貨分岐部５３で分岐し、オーバーフロー硬貨一時保留部６１に一時保留する。
【００６８】
硬貨識別部５０で異常と識別したリジェクト硬貨は、後部方向通路域４４のリジェクト硬貨分岐部５１で分岐し、中継搬送ベルト手段９１上に送り込み、例えば左側のテラーの占有による入金処理の場合には、中継搬送ベルト手段９１にて左側へ向けて搬送するとともに案内部９４およびシャッタ１０３の開放によって一側通路部１０１のシュート１０２に送り込み、このシュート１０２により左側の出金口１５から出金ボックス１７に返却する。また、右側のテラーの占有による入金処理の場合には、入金硬貨を、中継搬送ベルト手段９１にて右側へ向けて搬送するともに案内部９４およびシャッタ１０８の開放によって他側通路部１０６に送り込み、この他側通路部１０６で前方へ搬送してシュート１１６に放出し、右側の出金口１６から出金ボックス１８に返却する。出金ボックス１７または出金ボックス１８に返却された返却硬貨は、出金ボックス１７または出金ボックス１８を機体１１から抜き外して取り出せる。
【００６９】
なお、中継搬送ベルト手段９１上にリジェクト硬貨を一時保留しておき、入金硬貨の一時保留が完了した後に、リジェクト硬貨を再識別処理することもできる。つまり、中継搬送ベルト手段９１上のリジェクト硬貨を、中継搬送ベルト手段９１にて機体１１の右側である幅方向他側へ向けて搬送するとともに案内部９４およびシャッタ１０８の開放によって前方の他側通路部１０６に送り込み、この他側通路部１０６で前方へ向けて搬送するとともにその搬送途中で切換部１１１により入金硬貨貯留繰出部３１に再投入し、全てのリジェクト硬貨を入金硬貨貯留繰出部３１に送り込む。この入金硬貨貯留繰出部３１内に送り込まれたリジェクト硬貨を硬貨通路４１に再び繰り出し、硬貨識別部５０で再識別する。そして、再識別の結果、正常と識別した入金硬貨は、各金種別硬貨分岐部５４５〜５４５００で分岐して各金種別硬貨一時保留部６２５〜６２５００に一時保留するか、オーバーフロー硬貨分岐部５３で分岐してオーバーフロー硬貨一時保留部６１に一時保留する。また、再識別の結果、異常と識別したリジェクト硬貨は、リジェクト硬貨分岐部５１で分岐して中継搬送ベルト手段９１に再び送り込んで一時保留し、全てのリジェクト硬貨の再識別処理を完了した後に、左側のテラーの占有の場合は中継搬送ベルト手段９１にて機体１１の左側である幅方向一側へ向けて搬送するとともに案内部９４およびシャッタ１０３の開放によって前方の一側通路部１０１のシュート１０２に送り込み、このシュート１０２を通じて左側の出金口１５から出金ボックス１７に返却する。この出金ボックス１７に返却したリジェクト硬貨は、出金ボックス１７を機体１１から抜き外して取り出せる。また、右側のテラーの占有の場合は中継搬送ベルト手段９１にて機体１１の右側である幅方向他側へ向けて搬送し、案内部９４とシャッタ１０８の開放によって他側通路部１０６、シュート１１６を通じて出金ボックス１８に返却する。
【００７０】
そして、入金硬貨貯留繰出部３１からの入金硬貨の繰り出しが完了するとともに、硬貨通路４１上での入金硬貨の搬送が完了し、硬貨識別部５０にて入金硬貨を所定時間検知しなくなった後、繰出および搬送を停止する。
【００７１】
そして、入金硬貨の一時保留が完了するとともに、リジェクト硬貨の返却が完了した後、占有しているテラーの端末機で入金硬貨の計数結果を表示し、テラーにより入金承認または入金非承認を指令する。
【００７２】
テラーにより入金承認を指令することにより、オーバーフロー硬貨一時保留部６１および金種別硬貨一時保留部６２５〜６２５００に一時保留していた硬貨は、各一時保留部６１，６２５〜６２５００のシャッタ６５の開放とベルト６４の収納方向への回動とによりオーバーフロー硬貨収納繰出部７１および各金種別硬貨収納繰出部７２５〜７２５００に送り込んでばら状態で収納する。
【００７３】
また、テラーにより入金非承認を指令することにより、オーバーフロー硬貨一時保留部６１および金種別硬貨一時保留部６２５〜６２５００に一時保留されていた硬貨は、各一時保留部６１，６２５〜６２５００のシャッタ６６の開放とベルト６４の返却方向への回動とにより返却硬貨搬送ベルト手段８６に一括して放出し、返却硬貨搬送ベルト手段８６から前方の中継搬送ベルト手段９１に搬送する。例えば左側のテラーの占有による入金処理の場合には、返却硬貨搬送ベルト手段８６上の返却硬貨は、中継搬送ベルト手段９１の左側への搬送と案内部９４およびシャッタ１０３の開放とによって返却硬貨搬送ベルト手段８６の前方側の一側通路部１０１のシュート１０２に送り込み、このシュート１０２により返却硬貨搬送ベルト手段８６の前方側の左側の出金口１５から出金ボックス１７に返却する。また、右側のテラーの占有による入金処理の場合には、返却硬貨を、中継搬送ベルト手段９１にて右側へ向けて搬送するとともに案内部８４およびシャッタ１０８の開放によって他側通路部１０６に送り込み、この他側通路部１０６で前方へ搬送してシュート１１６に放出し、右側の出金口１６から出金ボックス１８に返却する。出金ボックス１７または出金ボックス１８に返却した返却硬貨は、出金ボックス１７または出金ボックス１８を機体１１から抜き外して取り出せる。返却硬貨を返却することで、入金処理を完了する。
【００７４】
また、入金処理時において、図６に示すように、入金硬貨貯留繰出部３１に硬貨とともに例えばクリップなどの金属製の異物Ｘが投入されることがあるため、異物排除手段１３１によって異物Ｘを排除している。この異物排除手段１３１では、図７に示すように、貯留枠３５の一側に配置された電磁石１３２への通電により磁力を発生させて入金硬貨貯留繰出部３１に硬貨とともに投入された金属製の異物Ｘを吸着し、入金硬貨貯留繰出部３１から硬貨とともに異物Ｘが繰り出されるのを防止し、硬貨通路４１での異物Ｘによる詰まりなどの発生を防止する。入金硬貨貯留繰出部３１内から全ての硬貨が繰り出されたら、図８に示すように、電磁石１３２への通電を解除して異物Ｘの吸着を解除し、機体１１の幅方向他側で繰出ベルト３６に臨む貯留枠３５の開放部１３３を開放し、繰出ベルト３６の逆転によって繰出ベルト３６上の異物Ｘを入金硬貨貯留繰出部３１内から図示しない回収箱などへ排除する。
【００７５】
次に、硬貨の出金処理について説明する。
【００７６】
占有した左右いずれかのテラーにより、端末機で出金処理を指令するとともに出金金額や出金希望金種および枚数を入力することにより、出金処理を開始する。
【００７７】
出金処理の開始により、出金金種に該当する金種別硬貨収納繰出部７２５〜７２５００において、ベルト７６の投出方向への回動とゲート部７８の逆転ローラの逆転とにより収納されている硬貨を１層１列状態で出金硬貨搬送ベルト手段８１に繰り出す。このとき、ローラ７９が通過する硬貨で押し上げられることにより投出枚数をカウントする。また、出金金種に該当しない金種の金種別硬貨収納繰出部７２５〜７２５００、出金金種に該当する金種でも所定の出金枚数を繰り出し終わった金種の金種別硬貨収納繰出部７２５〜７２５００は、ベルト７６およびゲート部７８を停止状態とする。
【００７８】
出金硬貨搬送ベルト手段８１に投出した出金硬貨は、出金硬貨搬送ベルト手段８１から前方の中継搬送ベルト手段９１に搬送し、例えば左側のテラーの占有による出金処理の場合には、中継搬送ベルト手段９１にて左側へ向けて搬送するとともに案内部９４およびシャッタ１０３の開放によって一側通路部１０１のシュート１０２に送り込み、このシュート１０２により左側の出金口１５から出金ボックス１７に払い出す。また、右側のテラーによる出金処理の場合には、出金硬貨を、中継搬送ベルト手段９１にて右側へ向けて搬送するともに案内部９４およびシャッタ１０８の開放によって他側通路部１０６に送り込み、この他側通路部１０６で前方へ搬送してシュート１１６に放出し、右側の出金口１６から出金ボックス１８に払い出す。出金ボックス１７または出金ボックス１８に出金された出金硬貨は、出金ボックス１７または出金ボックス１８を機体１１から抜き外して取り出せる。
【００７９】
次に、硬貨の精査処理について説明する。
【００８０】
左右いずれかのテラーにより、端末機で精査処理を指令することにより、精査処理を開始する。この精査処理では、オーバーフロー硬貨収納繰出部７１および各金種別硬貨収納繰出部７２５〜７２５００に収納されている硬貨の内容を調べて確認する。
【００８１】
精査処理の開始により、各収納繰出部７１，７２５〜７２５００の予め定められた順番に準じた１つから収納されている全ての硬貨を、出金硬貨搬送ベルト手段８１に順に繰り出し、出金硬貨搬送ベルト手段８１から前方の中継搬送ベルト手段９１、案内部９４、開放されたシャッタ１０８を通じて他側通路部１０６に送り込み、この他側通路部１０６で前方へ搬送する途中で切換部１１１により入金硬貨貯留繰出部３１に送り込む。この入金硬貨貯留繰出部３１内に送り込まれた硬貨を硬貨通路４１に繰り出し、硬貨識別部５０で識別し、元の収納繰出部７１，７２５〜７２５００に対応する各分岐部５３，５４５〜５４５００で分岐し、各一時保留部６１，６２５〜６２５００を通じて、元の収納繰出部７１，７２５〜７２５００に収納する。
【００８２】
各収納繰出部７１，７２５〜７２５００の１つについての精査が完了したら、次の順番の１つについて同様に精査処理し、全ての各収納繰出部７１，７２５〜７２５００について精査処理する。
【００８３】
次に、オーバーフロー硬貨収納繰出部７１に収納している硬貨の各金種別硬貨収納繰出部７２５〜７２５００への補充処理について説明する。
【００８４】
この補充処理は、各収納繰出部７１，７２５〜７２５００のうちある金種の硬貨が少なくなり、かつその金種の硬貨がオーバーフロー硬貨収納繰出部７１に収納されている場合になされる。
【００８５】
オーバーフロー硬貨収納繰出部７１に収納されている全ての硬貨を、出金硬貨搬送ベルト手段８１に順に繰り出し、出金硬貨搬送ベルト手段８１から前方の中継搬送ベルト手段９１、案内部９４、開放されたシャッタ１０８を通じて他側通路部１０６に送り込み、この他側通路部１０６で前方へ搬送する途中で切換部１１１により入金硬貨貯留繰出部３１に送り込む。この入金硬貨貯留繰出部３１内に送り込まれた硬貨を硬貨通路４１に繰り出し、硬貨識別部５０で識別し、各金種別硬貨分岐部５４５〜５４５００で分岐し、各金種別一時保留部６２５〜６２５００を通じて、各金種別硬貨収納繰出部７２５〜７２５００に収納する。また、各金種別硬貨収納繰出部７２５〜７２５００に所定枚数の硬貨を収納して満杯となった金種については、オーバーフロー硬貨として、オーバーフロー硬貨分岐部５３で分岐し、オーバーフロー硬貨一時保留部６１を通じて、オーバーフロー硬貨収納繰出部７１に戻す。
【００８６】
次に、硬貨の回収処理について説明する。
【００８７】
左右いずれかのテラーにより、端末機で回収処理を指令することにより、回収処理を開始する。
【００８８】
回収処理の開始により、各収納繰出部７１，７２５〜７２５００の予め定められた順番に準じた１つから収納されている全ての硬貨を、出金硬貨搬送ベルト手段８１に順に繰り出し、出金硬貨搬送ベルト手段８１から前方の中継搬送ベルト手段９１、案内部９４、開放されたシャッタ１０８、他側通路部１０６、シュート１１６、取込部材および回収シュート１１７を通じてカセット１２２に回収する。各収納繰出部７１，７２５〜７２５００の１つについての回収が完了したら、次の順番の１つについて同様に回収処理し、全ての各収納繰出部７１，７２５〜７２５００について回収処理する。硬貨の回収処理が完了したカセット１２２は機体１１から取り出して運搬する。
【００８９】
このように構成された硬貨入出金機では、硬貨通路４１が、機体１１の前側中央域の入金硬貨貯留繰出部３１から機体１１の幅方向一側へ向かう幅方向通路域４２、この幅方向通路域４２から機体１１の後部方向へ方向変換する方向変換通路域４３、この方向変換通路域４３から機体１１の幅方向一側に沿って後部方向へ形成される後部方向通路域４４を有し、この後部方向通路域４４に各金種別硬貨分岐部５４５〜５４５００およびオーバーフロー硬貨分岐部５３を設け、これら各金種別硬貨分岐部５４５〜５４５００およびオーバーフロー硬貨分岐部５３の下方位置にそれぞれ分岐される硬貨を一時保留する各金種別硬貨一時保留部６２５〜６２５００およびオーバーフロー硬貨一時保留部６１を設け、また、機体１１の幅方向に向けて張設され硬貨を上部に貯留収納するとともに収納した硬貨を機体１１の幅方向他側へ繰出可能とするベルト７６、および機体１１の幅方向他側においてベルト７６による硬貨の繰り出しを１層１列に規制するゲート部７８を有する各金種別硬貨収納繰出部７２５〜７２５００およびオーバーフロー硬貨収納繰出部７１を備え、これら各金種別硬貨収納繰出部７２５〜７２５００およびオーバーフロー硬貨収納繰出部７１を機体１１の前後方向に並設し、各金種別硬貨一時保留部６２５〜６２５００およびオーバーフロー硬貨一時保留部６１から収納する硬貨を各金種別硬貨収納繰出部７２５〜７２５００およびオーバーフロー硬貨収納繰出部７１に受け入れて収納し、また、機体１１の幅方向他側において機体１１の前後方向に設けた出金硬貨搬送ベルト手段８１により各金種別硬貨収納繰出部７２５〜７２５００およびオーバーフロー硬貨収納繰出部７１から繰り出される硬貨を機体１１の前方へ搬送し、機体１１の幅方向一側において機体１１の前後方向に設けられた返却硬貨搬送ベルト手段８６により各金種別硬貨一時保留部６２５〜６２５００およびオーバーフロー硬貨一時保留部６１から返却する硬貨を機体１１の前方へ搬送し、これら出金硬貨搬送ベルト手段８１および返却硬貨搬送ベルト手段８６で搬送する硬貨を機体１１の前面側の出金口１５または出金口１６に受収して取出可能とするので、硬貨の入金および出金が可能な構成であるとともに、オーバーフロー硬貨の分岐および収納が可能で機械を一旦止めてオーバーフロー硬貨を回収するといった手間が必要ない構成でありながら、硬貨通路４１の通路長を短くでき、そのため、入金硬貨の識別、分岐、一時保留にかかる時間を短くでき、硬貨通路４１での硬貨の搬送詰まりの発生を低減できる。さらに、各金種別硬貨一時保留部６２５〜６２５００およびオーバーフロー硬貨一時保留部６１からの一時保留硬貨の返却は、ゲート部などを通じて１層１列で繰り出す必要がなく、一括して繰り出すことが可能で、金種別硬貨一時保留部６２５〜６２５００およびオーバーフロー硬貨一時保留部６１からの一時保留硬貨の返却にかかる時間も短くできる。
【００９０】
しかも、機体１１の前面側の幅方向両側に出金口１５，１６を設け、機体１１の幅方向一側の出金口１５に対しては返却硬貨搬送ベルト手段８６から返却硬貨を前方側へ送り込めるとともに出金硬貨搬送ベルト手段８１から中継搬送ベルト手段９１を介して出金硬貨を送り込め、機体１１の幅方向他側の出金口１６に対しては出金硬貨搬送ベルト手段８１から出金硬貨を前方側へ送り込めるとともに返却硬貨搬送ベルト手段８６から中継搬送ベルト手段９１を介して返却硬貨を送り込めるため、幅方向両側のいずれの出金口１５，１６にも出金硬貨および返却硬貨を送り込むことができ、硬貨入出金機を左右の２人のテラー間に設置した場合に左右のいずれのテラー側からも出金硬貨および返却硬貨を取り出し易くできる。
【００９１】
次に、図９および図１０に第２の実施の形態の硬貨入出金機を示す。なお、図３は第２の実施の形態にも共通であり、また、第１の実施の形態の硬貨入出金機と異なる構成のみを説明し、同様の構成についての説明は省略する。
【００９２】
第１の実施の形態の硬貨入出金機におけるオーバーフロー硬貨分岐部５３およびオーバーフロー硬貨収納繰出部７１に代えて、一時保留する全ての金種硬貨を分岐する一時保留硬貨分岐部１４１、およびこの一時保留硬貨分岐部１４１で分岐される硬貨を一括して一時保留する硬貨一時保留部１４２が設けられている。
【００９３】
すなわち、後部方向通路域４４のリジェクト硬貨分岐部５１の下流側に、硬貨分岐部として、一時保留硬貨分岐部１４１および各金種別硬貨分岐部５４５〜５４５００が順に設けられている。一時保留硬貨分岐部１４１は、底板４５に形成された分岐孔５５を有し、この分岐孔５５から一時保留する硬貨を強制的に分岐するもので、分岐孔５５に配置される図示しない分岐板を有し、この分岐板が図示しないソレノイドによって硬貨の通過を許容する閉鎖位置と硬貨を分岐孔５５内へ強制的に案内する開放位置とに移動する。
【００９４】
各一時保留硬貨分岐部１４１および各金種別硬貨分岐部５４５〜５４５００の下方域から機体１１の幅方向中央側へ向けて、硬貨一時保留部１４２および各金種別硬貨収納繰出部７２５〜７２５００が設けられているとともに、機体１１の前後方向に並設されている。すなわち、機体１１の前側から後側の順に、硬貨一時保留部１４２および各金種別硬貨収納繰出部７２５〜７２５００が並設されている。
【００９５】
これら各収納繰出部１４２，７２５〜７２５００は、収納枠７４によって互いに区画形成された収納空間７５を有し、この収納空間７５に対応する各分岐部１４１，５４５〜５４５００で分岐されてくる硬貨を直接受け入れて収納する。各収納繰出部１４２，７２５〜７２５００の幅方向一側は、収納枠７４の側面部７４ａで覆われている。これら各収納繰出部１４２，７２５〜７２５００には、各分岐部１４１，５４５〜５４５００で分岐されてくる硬貨を直接受け入れて収納するため、第１の実施の形態で用いられていた返却硬貨搬送ベルト手段８６は用いられない。
【００９６】
硬貨一時保留部１４２は、機体１１の幅方向他側位置において、ゲート部７８を備えず、収納した一時保留硬貨をベルト７６の回転によって複数枚同時に繰り出しを可能とする出口部１４３が形成されている。なお、出口部１４３は硬貨の１層１枚繰出を可能とするゲート部としてもよい。
【００９７】
そして、入金処理時には、入金硬貨貯留繰出部３１に投入された入金硬貨を、硬貨通路４１に１層１列状態で繰り出して硬貨識別部５０で識別し、この硬貨識別部５０で正常と識別した全ての入金硬貨を一時保留硬貨分岐部１４１で分岐し、硬貨一時保留部１４２に一括して一時保留する。
【００９８】
一時保留後の入金承認時には、硬貨一時保留部１４２に一時保留された全ての硬貨を収納硬貨として、出口部１４３を通じて出金硬貨搬送ベルト手段８１に送り出し、出金硬貨搬送ベルト手段８１から前方の中継搬送ベルト手段９１、案内部９４、開放されたシャッタ１０８を通じて他側通路部１０６に送り込み、この他側通路部１０６で前方へ搬送する途中で切換部１１１により入金硬貨貯留繰出部３１に送り込む。この入金硬貨貯留繰出部３１内に送り込まれた硬貨を硬貨通路４１に繰り出し、硬貨識別部５０で識別し、各金種別硬貨分岐部５４５〜５４５００で分岐し、各金種別硬貨収納繰出部７２５〜７２５００に収納する。
【００９９】
一時保留後の入金非承認時には、硬貨一時保留部１４２に一時保留された全ての硬貨を返却硬貨として、出口部１４３を通じて出金硬貨搬送ベルト手段８１に送り出し、出金硬貨搬送ベルト手段８１から前方の中継搬送ベルト手段９１に送り込む。例えば左側のテラーによる入金処理の場合には、返却硬貨を、中継搬送ベルト手段９１にて左側へ向けて搬送するとともに案内部９４およびシャッタ１０３の開放によって一側通路部１０１のシュート１０２に送り込み、このシュート１０２により左側の出金口１５から出金ボックス１７に返却する。また、右側のテラーによる入金処理の場合には、出金硬貨搬送ベルト手段８１上の返却硬貨は、中継搬送ベルト手段９１による右側への搬送と案内部９４およびシャッタ１０８の開放とによって出金硬貨搬送ベルト手段８１の前方側の他側通路部１０６に送り込み、この他側通路部１０６で前方へ搬送してシュート１１６に放出し、出金硬貨搬送ベルト手段８１の前方の右側の出金口１６から出金ボックス１８に返却する。
【０１００】
したがって、第２の実施の形態の硬貨入出金機においても、第１の実施の形態の硬貨入出金機と同様に、硬貨の入金および出金が可能な構成でありながら、硬貨通路４１の通路長を短くでき、そのため、入金硬貨の識別、分岐、一時保留にかかる時間を短くでき、硬貨通路４１での硬貨の搬送詰まりの発生を低減できる。さらに、硬貨一時保留部１４２からの一時保留硬貨の返却は、１個の硬貨一時保留部１４２からの一時保留硬貨の返却であるので返却にかかる時間も従来のものに比べて短くできる。
【０１０１】
しかも、機体１１の前面側の幅方向両側に出金口１５，１６を設け、機体１１の幅方向一側の出金口１５に対しては出金硬貨搬送ベルト手段８１から中継搬送ベルト手段９１を介して出金硬貨および返却硬貨を送り込め、機体１１の幅方向他側の出金口１６に対しては出金硬貨搬送ベルト手段８１から出金硬貨および返却硬貨を前方側へ送り込めるため、幅方向両側のいずれの出金口１５，１６にも出金硬貨および返却硬貨を送り込むことができ、硬貨入出金機を左右の２人のテラー間に設置した場合に左右のいずれのテラー側からも出金硬貨および返却硬貨を取り出し易くできる。
【０１０２】
なお、第２の実施の形態の硬貨入出金機において、第１の実施の形態の硬貨入出金機のようにオーバーフロー硬貨を処理できるように構成してもよい。すなわち、後部方向通路域４４のリジェクト硬貨分岐部５１の下流側に、硬貨分岐部として、一時保留硬貨分岐部１４１、オーバーフロー硬貨分岐部５３、各金種別硬貨分岐部５４５〜５４５００を順に設け、オーバーフロー硬貨分岐部５３の下方にオーバーフロー硬貨収納繰出部７１を硬貨一時保留部１４２および各金種別硬貨収納繰出部７２５〜７２５００とともに機体１１の前後方向に並設する。オーバーフロー硬貨の処理は第１の実施の形態と同様である。これにより、硬貨の入金および出金が可能な構成であるとともに、オーバーフロー硬貨の分岐および収納が可能で機械を一旦止めてオーバーフロー硬貨を回収するといった手間が必要ない構成にできる。
【０１０３】
次に、図１１に第３の実施の形態の硬貨入出金機を示す。なお、第１の実施の形態の硬貨入出金機と異なる構成のみを説明し、同様の構成についての説明は省略する。
【０１０４】
機体１１の前面側中央域に、硬貨を受け入れるカルトン１４６を着脱可能とする１つの出金口１４７が設けられている。第１の実施の形態の硬貨入出金機で用いられていた中継搬送ベルト手段９１および一側通路部１０１は用いられず、出金硬貨搬送ベルト手段８１から放出される出金硬貨および返却硬貨搬送ベルト手段８６から放出される返却硬貨を出金口１４７へ案内するシュート部１４８が設けられている。この場合、出金硬貨搬送ベルト手段８１からの出金硬貨は、他側通路部１０６を通じてシュート１１６に送り込まれ、このシュート１１６に組み込まれる図示しない切換手段によってシュート部１４８側への払い出しかカセット１２２側への回収かが切り換えられる。
【０１０５】
このように、機体１１の前面側中央域に出金口１４７を設け、この出金口１４７に対して出金硬貨搬送ベルト手段８１から放出される出金硬貨および返却硬貨搬送ベルト手段８６から放出される返却硬貨をシュート部１４８で案内するため、機体１１の前面側中央域の出金口１４７に出金硬貨および返却硬貨を送り込むことができ、硬貨入出金機を左右の２人のテラー間に設置した場合に左右のいずれのテラー側からも出金硬貨および返却硬貨を取り出し易くでき、しかも、構造を簡単にできる。
【０１０６】
なお、第２の実施の形態の硬貨入出金機においても、機体１１の前面側中央域に出金口１４７を設け、出金硬貨搬送ベルト手段８１から放出される出金硬貨および返却硬貨を出金口１４７へ案内するシュート部１４８を設けることにより、第３の実施の形態の硬貨入出金機と同様の作用効果が得られる。
【０１０７】
次に、図１２および図１３に第４の実施の形態の硬貨入出金機を示す。なお、第１の実施の形態の硬貨入出金機と異なる構成のみを説明し、同様の構成についての説明は省略する。
【０１０８】
各金種別硬貨収納繰出部７２５〜７２５００の幅方向他側と出金硬貨搬送ベルト手段８１との間に、各金種別硬貨収納繰出部７２５〜７２５００から繰り出される硬貨を搬送する繰出通路１５１が設けられている。この繰出通路１５１は、硬貨の下面を支える通路底板１５２およびこの通路底板１５２の両側で硬貨の周縁をガイドする両側の側板１５３を有し、通路底板１５２の上方に硬貨を通路底板１５２に押し付けながら出金硬貨搬送ベルト手段８１へ向けて搬送する複数のローラ１５４，１５５，１５６が配設されている。
【０１０９】
繰出通路１５１の一方の側板１５３側には検知レバー１５７が揺動可能に設けられ、この検知レバー１５７は図示しない付勢手段によって他方の側板１５３側へ向けて付勢されており、図示しないストッパでその進出位置が規制される。検知レバー１５７の先端には繰出通路１５１に繰り出される硬貨が当接する検知ローラ１５８が回転自在に取り付けられている。検知レバー１５７は通過する硬貨の径に応じて揺動するため、この検知レバー１５７の揺動量を径検知センサ１５９で検知し、硬貨の径を検知する。
【０１１０】
繰出通路１５１の通路底板１５２には各金種別硬貨収納繰出部７２５〜７２５００に該当金種の硬貨径より大径硬貨および小径硬貨が混じっていた場合にその小径硬貨を排除するための排除孔１６０が形成され、この排除孔１６０に可動板１６１がソレノイド１６２によって開閉可能に配置されている。
【０１１１】
繰出通路１５１の排除孔１６０より上流側に硬貨の先端を検知する硬貨位置検知センサ１６３が配置されており、径検知センサ１５９による検知と硬貨位置検知センサ１６３による硬貨先端検知とに基づいて、大径硬貨および小径硬貨を排除孔１６０に排除するためのソレノイド１６２の励磁、非励磁の動作タイミング、すなわち可動板１６１の開閉タイミングが設定される。また、繰出通路１５１の排除孔１６０より下流側に硬貨位置検知センサ１６４が配置されており、出金処理時において、硬貨位置検知センサ１６４で硬貨位置検知センサ１６３の硬貨先端検知から所定時間内に硬貨の検知がない場合に、繰出枚数から１枚減算されてその分が追加繰出される。
【０１１２】
排除孔１６０の下方には排除された大径硬貨および小径硬貨をシュート１６５を通じて受け入れるコンベヤ１６６が配置され、このコンベヤ１６６によって大径硬貨および小径硬貨が機体１１の後面側で機体１１に対して着脱可能とする図示しない回収ボックスなどに搬送される。
【０１１３】
そして、出金処理時において、出金金種に該当する金種の各金種別硬貨収納繰出部７２５〜７２５００から硬貨を繰り出す際、径検知センサ１５９によって硬貨の径を検知し、各金種別硬貨収納繰出部７２５〜７２５００の収納金種として該当する金種の硬貨すなわち正規径の硬貨は、そのまま出金硬貨搬送ベルト手段８１へ放出する。
【０１１４】
該当する金種の硬貨より大径または小径の不正規径の硬貨は、硬貨位置検知センサ１６３の検知によってソレノイド１６２を作動させ、可動板１６１を開いて排除孔１６０から排除し、コンベヤ１６６を通じて回収ボックスに回収する。この場合、大径硬貨および小径硬貨を排除することで、硬貨位置検知センサ１６４で硬貨位置検知センサ１６３の硬貨先端検知から所定時間内に硬貨を検知しないため、各金種別硬貨収納繰出部７２５〜７２５００からの繰出枚数から１枚減算してその分を追加繰出する。
【０１１５】
そのため、各金種別硬貨収納繰出部７２５〜７２５００に該当金種の硬貨径より大径または小径の硬貨が混じっていた場合でも、出金に必要とする金種の硬貨を出金枚数分だけ確実に繰り出すことができる。
【０１１６】
なお、本実施の形態では、硬貨識別部は幅方向通路域、リジェクト硬貨分岐部は後部方向通路域の上流範囲に設けたが、硬貨識別部およびリジェクト硬貨分岐部の設置域はこの例に限定されるものではない。例えば、両者を幅方向通路域に設ける例、両者を後部方向通路域に設ける例、また硬貨識別部あるいはリジェクト硬貨分岐部が幅方向通路域と方向変換通路域あるいは方向変換通路域と後部方向通路域にまたがって設けられているものでもよい。
【０１１７】
【発明の効果】
請求項１記載の硬貨入出金機によれば、硬貨通路が、機体の前側中央域の入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、この後部方向通路域に各金種別硬貨分岐部を設け、これら各金種別硬貨分岐部の下方位置にそれぞれ分岐される硬貨を一時保留する各金種別硬貨一時保留部を設け、また、機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部を機体の前後方向に並設し、各金種別硬貨一時保留部から収納する硬貨を各金種別硬貨収納繰出部に受け入れて収納し、また、機体の幅方向他側において機体の前後方向に設けた出金硬貨搬送ベルト手段により各金種別硬貨収納繰出部から繰り出される硬貨を機体の前方へ搬送し、機体の幅方向一側において機体の前後方向に設けられた返却硬貨搬送ベルト手段により各金種別硬貨一時保留部から返却する硬貨を機体の前方へ搬送し、これら出金硬貨搬送ベルト手段および返却硬貨搬送ベルト手段で搬送する硬貨を機体の前面側の出金口に受収して取出可能とするので、硬貨の入金および出金が可能な構成でありながら、硬貨通路の通路長を短くでき、そのため、入金硬貨の識別、分岐、一時保留にかかる時間を短くでき、硬貨通路での硬貨の搬送詰まりの発生を低減できる。さらに、各金種別硬貨一時保留部からの一時保留硬貨の返却は、ゲート部などを通じて１層１列で繰り出す必要がなく、一括して繰り出すことが可能で、金種別硬貨一時保留部からの一時保留硬貨の返却にかかる時間も短くできる。
【０１１８】
請求項２記載の硬貨入出金機によれば、硬貨通路が、機体の前側中央域の入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、この後部方向通路域に各金種別硬貨分岐部およびオーバーフロー硬貨分岐部を設け、これら各金種別硬貨分岐部およびオーバーフロー硬貨分岐部の下方位置にそれぞれ分岐される硬貨を一時保留する各金種別硬貨一時保留部およびオーバーフロー硬貨一時保留部を設け、また、機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部およびオーバーフロー硬貨収納繰出部を備え、これら各金種別硬貨収納繰出部およびオーバーフロー硬貨収納繰出部を機体の前後方向に並設し、各金種別硬貨一時保留部およびオーバーフロー硬貨一時保留部から収納する硬貨を各金種別硬貨収納繰出部およびオーバーフロー硬貨収納繰出部に受け入れて収納し、また、機体の幅方向他側において機体の前後方向に設けた出金硬貨搬送ベルト手段により各金種別硬貨収納繰出部およびオーバーフロー硬貨収納繰出部から繰り出される硬貨を機体の前方へ搬送し、機体の幅方向一側において機体の前後方向に設けられた返却硬貨搬送ベルト手段により各金種別硬貨一時保留部およびオーバーフロー硬貨一時保留部から返却する硬貨を機体の前方へ搬送し、これら出金硬貨搬送ベルト手段および返却硬貨搬送ベルト手段で搬送する硬貨を機体の前面側の出金口に受収して取出可能とするので、硬貨の入金および出金が可能な構成であるとともに、オーバーフロー硬貨の分岐および収納が可能で機械を一旦止めてオーバーフロー硬貨を回収するといった手間が必要ない構成でありながら、硬貨通路の通路長を短くでき、そのため、入金硬貨の識別、分岐、一時保留にかかる時間を短くでき、硬貨通路での硬貨の搬送詰まりの発生を低減できる。さらに、各金種別硬貨一時保留部およびオーバーフロー硬貨一時保留部からの一時保留硬貨の返却は、ゲート部などを通じて１層１列で繰り出す必要がなく、一括して繰り出すことが可能で、金種別硬貨一時保留部およびオーバーフロー硬貨一時保留部からの一時保留硬貨の返却にかかる時間も短くできる。
【０１１９】
請求項３記載の硬貨入出金機によれば、請求項１または２記載の硬貨入出金機の効果に加えて、機体の前面側の幅方向両側に出金口を設け、機体の幅方向一側の出金口に対しては返却硬貨搬送ベルト手段から返却硬貨を前方側へ送り込めるとともに出金硬貨搬送ベルト手段から中継搬送ベルト手段を介して出金硬貨を送り込め、機体の幅方向他側の出金口に対しては出金硬貨搬送ベルト手段から出金硬貨を前方側へ送り込めるとともに返却硬貨搬送ベルト手段から中継搬送ベルト手段を介して返却硬貨を送り込めるため、幅方向両側のいずれの出金口にも出金硬貨および返却硬貨を送り込むことができ、例えば硬貨入出金機を左右の２人のテラー間に設置した場合に左右のいずれのテラー側からも出金硬貨および返却硬貨を取り出し易くできる。
【０１２０】
請求項４記載の硬貨入出金機によれば、請求項１または２記載の硬貨入出金機の効果に加えて、機体の前面側中央域に出金口を設け、この出金口に対して出金硬貨搬送ベルト手段から放出される出金硬貨および返却硬貨搬送ベルト手段から放出される返却硬貨をシュート部で案内するため、機体の前面側中央域の出金口に出金硬貨および返却硬貨を送り込むことができ、例えば硬貨入出金機を左右の２人のテラー間に設置した場合に左右のいずれのテラー側からも出金硬貨および返却硬貨を取り出し易くできる。
【０１２１】
請求項５記載の硬貨入出金機によれば、硬貨通路が、機体の前側中央域の入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、この後部方向通路域に各金種別硬貨分岐部および一時保留硬貨分岐部を設け、また、機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部を備え、これら各金種別硬貨収納繰出部を機体の前後方向に並設し、各金種別硬貨分岐部から分岐される硬貨を各金種別硬貨収納繰出部に直接受け入れて収納し、また、機体の幅方向に向けて張設され硬貨を上部に貯留収納するとともに収納した硬貨を機体の幅方向他側へ繰出可能とするベルト、および機体の幅方向他側においてベルトにより硬貨を送り出す出口部を有する硬貨一時保留部を備え、この硬貨一時保留部を各金種別硬貨収納繰出部とともに機体の前後方向に並設し、一時保留硬貨分岐部から分岐される硬貨を硬貨一時保留部に直接受け入れて収納し、また、機体の幅方向他側において機体の前後方向に設けた出金硬貨搬送ベルト手段により各金種別硬貨収納繰出部から繰り出される硬貨および硬貨一時保留部の出口部から送り出される一時保留硬貨を機体の前方へ搬送し、切換部により出金硬貨搬送ベルト手段に送り出された一時保留硬貨を返却硬貨として機体の前面側および金種別硬貨収納繰出部群への収納硬貨として入金硬貨貯留繰出部側のいずれに対して送るかを切り換え、出金硬貨搬送ベルト手段で搬送する出金硬貨および返却硬貨を機体の前面側の出金口に受収して取出可能とするので、硬貨の入金および出金が可能な構成でありながら、硬貨通路の通路長を短くでき、そのため、入金硬貨の識別、分岐、一時保留にかかる時間を短くでき、硬貨通路での硬貨の搬送詰まりの発生を低減できる。さらに、硬貨一時保留部からの一時保留硬貨の返却は、１個の硬貨一時保留部からの一時保留硬貨の返却であるので、各金種別硬貨収納繰出部の硬貨収納域を仕切って一時保留空間にする場合に比べて返却にかかる時間も短くできる。
【０１２２】
請求項６記載の硬貨入出金機によれば、硬貨通路が、機体の前側中央域の入金硬貨貯留繰出部から機体の幅方向一側へ向かう幅方向通路域、この幅方向通路域から機体の後部方向へ方向変換する方向変換通路域、この方向変換通路域から機体の幅方向一側に沿って後部方向へ形成される後部方向通路域を有し、この後部方向通路域に各金種別硬貨分岐部、オーバーフロー硬貨分岐部および一時保留硬貨分岐部を設け、また、機体の幅方向に向けて張設され硬貨を上部に貯留収納するとともに収納した硬貨を機体の幅方向他側へ繰出可能とするベルト、および機体の幅方向他側においてベルトによる硬貨の繰り出しを１層１列に規制するゲート部を有する各金種別硬貨収納繰出部およびオーバーフロー硬貨収納繰出部を備え、これら各金種別硬貨収納繰出部およびオーバーフロー硬貨収納繰出部を機体の前後方向に並設し、各金種別硬貨分岐部およびオーバーフロー硬貨分岐部から分岐される硬貨を各金種別硬貨収納繰出部およびオーバーフロー硬貨収納繰出部に直接受け入れて収納し、また、機体の幅方向に向けて張設され硬貨を上部に貯留収納するとともに収納した硬貨を機体の幅方向他側へ繰出可能とするベルト、および機体の幅方向他側においてベルトにより硬貨を送り出す出口部を有する硬貨一時保留部を備え、この硬貨一時保留部を各金種別硬貨収納繰出部およびオーバーフロー硬貨収納繰出部とともに機体の前後方向に並設し、一時保留硬貨分岐部から分岐される硬貨を硬貨一時保留部に直接受け入れて収納し、また、機体の幅方向他側において機体の前後方向に設けた出金硬貨搬送ベルト手段により各金種別硬貨収納繰出部およびオーバーフロー硬貨収納繰出部から繰り出される硬貨および硬貨一時保留部の出口部から送り出される一時保留硬貨を機体の前方へ搬送し、切換部により出金硬貨搬送ベルト手段に送り出された一時保留硬貨を返却硬貨として機体の前面側および金種別硬貨収納繰出部群への収納硬貨として入金硬貨貯留繰出部側のいずれに対して送るかを切り換え、出金硬貨搬送ベルト手段で搬送する出金硬貨および返却硬貨を機体の前面側の出金口に受収して取出可能とするので、硬貨の入金および出金が可能な構成であるとともに、オーバーフロー硬貨の分岐および収納が可能で機械を一旦止めてオーバーフロー硬貨を回収するといった手間が必要ない構成でありながら、硬貨通路の通路長を短くでき、そのため、入金硬貨の識別、分岐、一時保留にかかる時間を短くでき、硬貨通路での硬貨の搬送詰まりの発生を低減できる。さらに、硬貨一時保留部からの一時保留硬貨の返却は、１個の硬貨一時保留部からの一時保留硬貨の返却であるので、各金種別硬貨収納繰出部の硬貨収納域を仕切って一時保留空間にする場合に比べて返却にかかる時間も短くできる。
【０１２３】
請求項７記載の硬貨入出金機によれば、請求項５または６記載の硬貨入出金機の効果に加えて、機体の前面側の幅方向両側に出金口を設け、機体の幅方向一側の出金口に対しては出金硬貨搬送ベルト手段から中継搬送ベルト手段を介して出金硬貨および返却硬貨を送り込め、機体の幅方向他側の出金口に対しては出金硬貨搬送ベルト手段から出金硬貨および返却硬貨を前方側へ送り込めるため、幅方向両側のいずれの出金口にも出金硬貨および返却硬貨を送り込むことができ、例えば硬貨入出金機を左右の２人のテラー間に設置した場合に左右のいずれのテラー側からも出金硬貨および返却硬貨を取り出し易くできる。
【０１２４】
請求項８記載の硬貨入出金機によれば、請求項５または６記載の硬貨入出金機の効果に加えて、機体の前面側中央域に出金口を設け、この出金口に対して出金硬貨搬送ベルト手段から放出される出金硬貨および返却硬貨をシュート部で案内するため、機体の前面側中央域の出金口に出金硬貨および返却硬貨を送り込むことができ、例えば硬貨入出金機を左右の２人のテラー間に設置した場合に左右のいずれのテラー側からも出金硬貨および返却硬貨を取り出し易くできる。
【図面の簡単な説明】
【図１】本発明の第１の実施の形態を示す硬貨入出金機の平面図である。
【図２】同上硬貨入出金機の図１のＡ−Ａ矢視の断面図である。
【図３】同上硬貨入出金機の一部の斜視図である。
【図４】同上硬貨入出金機の正面図である。
【図５】同上硬貨入出金機の斜視図である。
【図６】同上硬貨入出金機の入金硬貨貯留繰出部への入金硬貨投入状態を示し、（ａ）は平面図、（ｂ）は正面図である。
【図７】同上硬貨入出金機の入金硬貨貯留繰出部での異物吸着状態を示し、（ａ）は平面図、（ｂ）は正面図である。
【図８】同上硬貨入出金機の入金硬貨貯留繰出部からの異物排除状態を示し、（ａ）は平面図、（ｂ）は正面図である。
【図９】第２の実施の形態を示す硬貨入出金機の平面図である。
【図１０】同上硬貨入出金機の図９のＢ−Ｂ矢視の断面図である。
【図１１】第３の実施の形態を示す硬貨入出金機の正面図である。
【図１２】第４の実施の形態を示す硬貨入出金機の図２に対応した断面図である。
【図１３】同上硬貨入出金機の各収納繰出部の幅方向他側部分の平面図である。
【符号の説明】
１１    機体
１５，１６    出金口
３１    入金硬貨貯留繰出部
３４    入金硬貨貯留部
３８    硬貨繰出部
４１    硬貨通路
４２    幅方向通路域
４３    方向変換通路域
４４    後部方向通路域
５０    硬貨識別部
５１    リジェクト硬貨分岐部
５３    オーバーフロー硬貨分岐部
５４５，５４１，５４５０，５４１００，５４１０，５４５００    金種別硬貨分岐部
６１    オーバーフロー硬貨一時保留部
６２５，６２１，６２５０，６２１００，６２１０，６２５００    金種別硬貨一時保留部
７１    オーバーフロー硬貨収納繰出部
７２５，７２１，７２５０，７２１００，７２１０，７２５００    金種別硬貨収納繰出部
７３    金種別硬貨収納繰出部群
７６    ベルト
７８    ゲート部
８１    出金硬貨搬送ベルト手段
８６    返却硬貨搬送ベルト手段
９１    中継搬送ベルト手段
１１１    切換部
１４１    一時保留硬貨分岐部
１４２    硬貨一時保留部
１４３    出口部
１４７    出金口
１４８    シュート部
【図１】
2004192175.tif 000003
【図２】
2004192175.tif 000004
【図３】
2004192175.tif 000005
【図４】
2004192175.tif 000006
【図５】
2004192175.tif 000007
【図６】
2004192175.tif 000008
【図７】
2004192175.tif 000009
【図８】
2004192175.tif 000010
【図９】
2004192175.tif 000011
【図１０】
2004192175.tif 000012
【図１１】
2004192175.tif 000013
【図１２】
2004192175.tif 000014
【図１３】
2004192175.tif 000015